(57)【要約】【課題】遊技媒体が落下する際の速度を遅くすることにより、遊技機から落下する遊技媒体が、落下する遊技媒体を受ける遊技媒体受体、及び既に前記遊技媒体受体に溜められている遊技媒体と衝突して発生する衝突音を小さくし、遊技者の不快感を軽減した遊技機を提供する。【解決手段】カバー部材落下孔５１を閉塞して遊技球Ｐが下側球受け皿４０から落下することを防ぐ閉塞部材５０と、カバー部材落下孔を閉塞する閉塞部材が移動してカバー部材落下孔が開放もしくは閉塞されていることを検出する検出手段と、遊技球が少なくとも下側球受け皿からカバー部材落下孔を介して遊技機外に落下される経路にあたるカバー部材落下孔の周縁部近傍に電磁石８０とを備え、前記検出手段によってカバー部材落下孔の開放を検出したときに電磁石を励磁し、カバー部材落下孔の開放を検出しないときに電磁石を消磁する。【選択図】図７
2006122178.tif 000002
【特許請求の範囲】
【請求項１】
磁界に入ると磁性を帯びる遊技媒体が遊技の賞として払い出され、
前記遊技媒体を貯留する遊技媒体貯留部と、
前記遊技媒体貯留部に貯留された遊技媒体を該遊技媒体貯留部から遊技機外に落下させる遊技媒体落下孔とを備えた遊技機において、
前記遊技媒体が少なくとも前記遊技媒体貯留部から前記遊技媒体落下孔を介して前記遊技機外に落下される経路にあたる前記遊技媒体落下孔の周縁部近傍に、磁界を発生させる磁界発生部材が備えられていることを特徴とする遊技機。
【請求項２】
前記遊技媒体落下孔を閉塞して前記遊技媒体が前記遊技媒体貯留部から落下することを防ぐ閉塞部材と、前記遊技媒体落下孔を閉塞する前記閉塞部材が移動して前記遊技媒体落下孔が開放もしくは閉塞されていることを検出する検出手段とを備え、
前記磁界発生部材は電磁石であり、前記検出手段によって前記遊技媒体落下孔の開放を検出したときに前記電磁石を励磁し、前記遊技媒体落下孔の開放を検出しないときに前記電磁石を消磁する制御回路が備えられていることを特徴とする請求項１に記載の遊技機。
【請求項３】
前記磁界発生部材として前記電磁石とは別に鉄材を備え、前記鉄材を前記電磁石の磁極に近接して配置し、前記鉄材を磁界発生部材とすることを特徴とする請求項２に記載の遊技機。
【請求項４】
前記検出手段としてスイッチ手段を備え、
前記遊技媒体落下孔が開放されるときには、前記スイッチ手段がＯＮ状態もしくはＯＦＦ状態となることで前記電磁石が励磁され、前記遊技媒体落下孔が閉塞されるときには、前記スイッチ手段はＯＦＦ状態もしくはＯＮ状態となることで前記電磁石が消磁されることを特徴とする請求項２又は３に記載の遊技機。
【請求項５】
前記磁界発生部材が前記遊技媒体落下孔の周縁部近傍の内周側から外側に向けて該外側を該内周側より下方に傾斜させて設けられていることを特徴とする請求項１ないし４のいずれか１項に記載の遊技機。
【請求項６】
前記磁界発生部材の磁力を減衰させる遮蔽部材を備え、
前記閉塞部材が移動して前記遊技媒体落下孔が開放したときに前記磁界発生部材は該遊技媒体落下孔に対して露出し、前記遊技媒体落下孔が前記閉塞部材により閉塞されているときに前記磁界発生部材は前記遮蔽部材により被覆されることを特徴とする請求項１ないし５のいずれか１項に記載の遊技機。
【請求項７】
前記磁界発生部材は前記遊技媒体貯留部の裏面側に備えられ、前記遊技媒体落下孔の周縁部近傍の内周側よりも外側の方が前記磁界発生部材の磁力が強められていることを特徴とする請求項１ないし６のいずれか１項に記載の遊技機。
【請求項８】
前記磁界発生部材は複数の磁界発生部材の組み合わせからなり、前記遊技媒体落下孔の周縁部近傍の内周側の磁界発生部材よりも外側の磁界発生部材の磁力が強力であることを特徴とする請求項７項に記載の遊技機。
【発明の詳細な説明】
【技術分野】
【０００１】
本発明は、遊技機に関し、特に遊技媒体を放出させる部材の構造に関する。
【背景技術】
【０００２】
一般に、遊技機より払い出された遊技球等の遊技媒体は、各遊技機外に設置された箱体等の遊技媒体受体に落下させ、この箱体に溜まった遊技媒体の数量を計測している。ちなみに、パチンコ遊技機等の弾球遊技機からは遊技に応じて遊技球（遊技媒体）が賞球として払い出され、スロットマシーン等にあってはコイン（遊技媒体）が払い出されている。
【０００３】
上述のとおり、箱体に遊技媒体を遊技機から落下させる場合、遊技機から落下（放出）される遊技媒体と箱体、もしくは遊技媒体と箱体に蓄積された遊技媒体が衝突して衝撃音を生じさせていた。
【０００４】
そのため、遊技者は、現在遊技中の遊技機から遊技媒体を落下（放出）させるたびに生じる衝撃音により遊技への集中を欠き、不快感を感じることもある。また、近隣の遊技者も、他の遊技機から遊技媒体が落下（放出）されるたびに生じる衝撃音により遊技への集中を欠き、不愉快に思うこともある。
【０００５】
そこで、箱体の内面の底部に適宜の樹脂製素材よりなる消音材を備え、箱体に遊技媒体が溜まる際の不必要な衝撃音を抑制する手法が提案されている（特許文献１，２，３参照）。
【０００６】
しかしながら、前掲の各特許文献において提案された構成を箱体に施したとしても、箱体内の消音材の上に遊技球もしくはコイン等の遊技媒体がある程度積層し、消音材を覆い隠してしまうことがある。そうすると、遊技媒体同士が衝突し合うため、消音材は衝撃音の抑制に効果を発揮しない。すなわち、消音材の効果は一時的に過ぎず、本質的な衝撃音の抑制に寄与していない。
【特許文献１】特開２００３−１１７２２０号公報
【特許文献２】登録実用新案第３０３５７４４号公報
【特許文献３】登録実用新案第３０７５８７２号公報
【発明の開示】
【発明が解決しようとする課題】
【０００７】
本発明は前記の状況に鑑みなされたものであり、遊技媒体が落下する際の速度を遅くすることにより、遊技機から落下する遊技媒体が、落下する遊技媒体を受ける遊技媒体受体、及び既に前記遊技媒体受体に溜められている遊技媒体と衝突して発生する衝突音を小さくし、遊技者の不快感を軽減した遊技機を提供する。
【課題を解決するための手段】
【０００８】
すなわち、請求項１の発明は、磁界に入ると磁性を帯びる遊技媒体が遊技の賞として払い出され、前記遊技媒体を貯留する遊技媒体貯留部と、前記遊技媒体貯留部に貯留された遊技媒体を該遊技媒体貯留部から遊技機外に落下させる遊技媒体落下孔とを備えた遊技機において、前記遊技媒体が少なくとも前記遊技媒体貯留部から前記遊技媒体落下孔を介して前記遊技機外に落下される経路にあたる前記遊技媒体落下孔の周縁部近傍に、磁界を発生させる磁界発生部材が備えられていることを特徴とする遊技機に係る。
【０００９】
請求項２の発明は、前記遊技媒体落下孔を閉塞して前記遊技媒体が前記遊技媒体貯留部から落下することを防ぐ閉塞部材と、前記遊技媒体落下孔を閉塞する前記閉塞部材が移動して前記遊技媒体落下孔が開放もしくは閉塞されていることを検出する検出手段とを備え、前記磁界発生部材は電磁石であり、前記検出手段によって前記遊技媒体落下孔の開放を検出したときに前記電磁石を励磁し、前記遊技媒体落下孔の開放を検出しないときに前記電磁石を消磁する制御回路が備えられていることを特徴とする請求項１に記載の遊技機に係る。
【００１０】
請求項３の発明は、前記磁界発生部材として前記電磁石とは別に鉄材を備え、前記鉄材を前記電磁石の磁極に近接して配置し、前記鉄材を磁界発生部材とすることを特徴とする請求項２に記載の遊技機に係る。
【００１１】
請求項４の発明は、前記検出手段としてスイッチ手段を備え、前記遊技媒体落下孔が開放されるときには、前記スイッチ手段がＯＮ状態もしくはＯＦＦ状態となることで前記電磁石が励磁され、前記遊技媒体落下孔が閉塞されるときには、前記スイッチ手段はＯＦＦ状態もしくはＯＮ状態となることで前記電磁石が消磁されることを特徴とする請求項２又は３に記載の遊技機に係る。
【００１２】
請求項５の発明は、前記磁界発生部材が前記遊技媒体落下孔の周縁部近傍の内周側から外側に向けて該外側を該内周側より下方に傾斜させて設けられていることを特徴とする請求項１ないし４のいずれか１項に記載の遊技機に係る。
【００１３】
請求項６の発明は、前記磁界発生部材の磁力を減衰させる遮蔽部材を備え、前記閉塞部材が移動して前記遊技媒体落下孔が開放したときに前記磁界発生部材は該遊技媒体落下孔に対して露出し、前記遊技媒体落下孔が前記閉塞部材により閉塞されているときに前記磁界発生部材は前記遮蔽部材により被覆されることを特徴とする請求項１ないし５のいずれか１項に記載の遊技機に係る。
【００１４】
請求項７の発明は、前記磁界発生部材は前記遊技媒体貯留部の裏面側に備えられ、前記遊技媒体落下孔の周縁部近傍の内周側よりも外側の方が前記磁界発生部材の磁力が強められていることを特徴とする請求項１ないし６のいずれか１項に記載の遊技機に係る。
【００１５】
請求項８の発明は、前記磁界発生部材は複数の磁界発生部材の組み合わせからなり、前記遊技媒体落下孔の周縁部近傍の内周側の磁界発生部材よりも外側の磁界発生部材の磁力が強力であることを特徴とする請求項７項に記載の遊技機に係る。
【発明の効果】
【００１６】
請求項１の発明に係る遊技機によると、遊技媒体が少なくとも遊技媒体貯留部から遊技媒体落下孔を介して遊技機外に落下される経路にあたる遊技媒体落下孔の周縁部近傍に、磁界を発生させる磁界発生部材が備えられているため、遊技媒体は磁界発生部材に引きつけられ、落下速度を遅くすることができる。従って、遊技機から落下する遊技媒体が、落下する遊技媒体を受ける遊技媒体受体、及び既に遊技媒体受体に溜められている遊技媒体と衝突して発生する衝突音を小さくすることができ、遊技者の不快感の軽減に貢献することができる。
【００１７】
請求項２の発明に係る遊技機によると、請求項１の発明において、遊技媒体落下孔を閉塞して遊技媒体が遊技媒体貯留部から落下することを防ぐ閉塞部材と、遊技媒体落下孔を閉塞する閉塞部材が移動して遊技媒体落下孔が開放もしくは閉塞されていることを検出する検出手段とを備え、磁界発生部材は電磁石であり、検出手段によって遊技媒体落下孔の開放を検出したときに電磁石を励磁し、遊技媒体落下孔の開放を検出しないときに電磁石を消磁する制御回路が備えられているため、遊技媒体が落下する状態時のみ、遊技媒体に対して磁力の影響を与えることができる。
【００１８】
請求項３の発明に係る遊技機によると、請求項２の発明において、磁界発生部材として電磁石とは別に鉄材を備え、鉄材を電磁石の磁極に近接して配置し、鉄材を磁界発生部材とするため、一の電磁石による磁力の及ぶ範囲を広くすることができる。
【００１９】
請求項４の発明に係る遊技機によると、請求項２又は３の発明において、検出手段としてスイッチ手段を備え、遊技媒体落下孔が開放されるときには、スイッチ手段がＯＮ状態もしくはＯＦＦ状態となることで電磁石が励磁され、遊技媒体落下孔が閉塞されるときには、スイッチ手段はＯＦＦ状態もしくはＯＮ状態となることで電磁石が消磁されるため、比較的単純な制御回路で遊技媒体に磁力の影響を及ばすことができる。
【００２０】
請求項５の発明に係る遊技機によると、請求項１ないし４のいずれか１項の発明において、磁界発生部材が遊技媒体落下孔の周縁部近傍の内周側から外側に向けて該外側を該内周側より下方に傾斜させて設けられているため、遊技媒体を遊技媒体落下孔から離れた位置に落下させることができる。
【００２１】
請求項６の発明に係る遊技機によると、請求項１ないし５のいずれか１項の発明において、磁界発生部材の磁力を減衰させる遮蔽部材を備え、閉塞部材が移動して遊技媒体落下孔が開放したときに磁界発生部材は該遊技媒体落下孔に対して露出し、遊技媒体落下孔が閉塞部材により閉塞されているときに磁界発生部材は遮蔽部材により被覆されるため、たとえ、磁界発生部材に遊技媒体が磁着している場合にあっても、遊技媒体落下孔の閉塞時に、遮蔽部材により遊技球を払い落とすことができる。
【００２２】
請求項７の発明に係る遊技機によると、請求項１ないし６のいずれか１項の発明において、磁界発生部材は遊技媒体貯留部の裏面側に備えられ、遊技媒体落下孔の周縁部近傍の内周側よりも外側の方が前記磁界発生部材の磁力が強められているため、遊技媒体は遊技媒体落下孔の周縁部近傍の外側に引き寄せられるようにして、遊技媒体の落下方向は遊技媒体落下孔の周縁から外側に広がることとなる。
【００２３】
請求項８の発明に係る遊技機によると、請求項１ないし７のいずれか１項の発明において、磁界発生部材は複数の磁界発生部材の組み合わせからなり、遊技媒体落下孔の周縁部近傍の内周側の磁界発生部材よりも外側の磁界発生部材の磁力が強力であるため、遊技媒体は遊技媒体落下孔の周縁部近傍の外側に引き寄せられ、遊技媒体の落下方向は遊技媒体落下孔の周縁から外側に広がることとなる。
【発明を実施するための最良の形態】
【００２４】
以下添付の図面に基づきこの発明の好適な実施形態を説明する。図１はこの発明の一実施例に係る遊技機全体の正面図、図２は同遊技機の背面図、図３は下側球受け皿の主要部分解斜視図、図４は第１実施例の磁界発生部材を備えた下側球受け皿の底面図、図５は下皿落下カバー部材及び閉塞部材の上面図、図６は同遊技機の下皿を中心に設けられた制御回路の概略図、図７はカバー部材落下孔が開放時の部分拡大図、図８はカバー部材落下孔が閉塞時の部分拡大図、図９は第２実施例の磁界発生部材を備えた下側球受け皿の底面図、図１０は第２実施例におけるカバー部材落下孔が開放時の部分拡大図、図１１は第２実施例におけるカバー部材落下孔が閉塞時の部分拡大図、図１２は第３実施例におけるカバー部材落下孔が開放時の部分拡大図、図１３は遮蔽部材を備えた閉塞部材の斜視図、図１４は第４実施例の磁界発生部材を備えたカバー部材落下孔が開放時の部分拡大図、図１５は第４実施例の磁界発生部材を備えたカバー部材落下孔が閉塞時の部分拡大図である。
【００２５】
実施例において、遊技機１をパチンコ遊技機等の弾球遊技機とし、本発明を開示する。図１に示すように、遊技機１の遊技盤３の縁に遊技球の外側誘導レール４及び内側誘導レール５が略円形に立設され、内側誘導レール５によって囲まれた遊技領域６の中心線上にその上部から下部に向かって順に画像表示部９Ｄを有する表示装置９、始動入賞口１１、特別電動役物である大入賞口１５、アウト口１７が配設され、表示装置９の左右に各種の入賞口が配置される。遊技盤３の前面側には、払い出された遊技球Ｐを受けるための上側球受け皿３２、上側球受け皿３２の飽和時に遊技球を受けるための下側球受け皿４０、該下側球受け皿４０の表面を装飾する下皿外装カバー４１、下側球受け皿４０（下皿外装カバー４１を含む）を前面枠に取り付けるための下皿取付板４２、遊技状態を報知するランプ表示器３５備えたガラス枠３０、音声や効果音を発して遊技状態を遊技者に報知するスピーカ３７、操作ハンドル２３１がそれぞれ組み付けられている。符号１０は遊技機１の外枠、２０は前面枠であり、当該前面枠２０にガラス枠３０、上側球受け皿３２、下側球受け皿４０が組み付けられる。また、前面枠２０には遊技盤３が取り付けられている。この他、符号３３は灰皿、６１は閉塞部材の操作部、８０は磁界発生部材であり電磁石を例示する。
【００２６】
実施例の遊技機１においては、磁界に入ると磁性を帯びる遊技媒体として、鉄製の遊技球Ｐが用いられ、この遊技球が各種の遊技の賞として払い出される。また、遊技媒体（実施例では遊技球）の貯留のために上側球受け皿３２と下側球受け皿４０の両方を遊技媒体貯留部として備えている。とりわけ、下側球受け皿４０には後述する遊技媒体落下孔５１が備えられ、当該下側球受け皿４０（遊技媒体貯留部）に貯留された遊技球は遊技媒体落下孔５１から遊技機外に落下（放出）される。この場合、遊技球は遊技媒体受体（実施例では箱体４００）に収容され、事後に数量が計測される。なお、図示の上側球受け皿３２と下側球受け皿４０の両方の受け皿を一の共通の受け皿とすることもできる。
【００２７】
図２は遊技機１の各種制御基板の配置を示す。図中の符号２０１は遊技球を溜めるタンク、２０２はタンクレール、２０３は枠用外部出力端子、２０４は枠用外部出力端子基板、２０５は枠飾りランプ中継基板、２０６は受電基板、２０７は空切り防止スイッチ、２０８は空切り防止スイッチ基板、２０９は盤面用外部出力端子、２１０は盤面用外部出力基板、２１１は中央カバー、２１２は音声制御基板、２１３はフォト分配基板、２１４は電源基板、２１５はランプ制御基板、２１６はエラー表示部、２１７はミドルプレート、２１８は賞球払出制御基板、２１９は発射装置制御基板、２２０は下基板ベース、２２１は主制御基板、２２２はカードインターフェイス接続部、２２３は電源プラグ、２３０は発射装置、２３２は発射モータである。
【００２８】
遊技媒体貯留部である下側球受け皿４０の主要部の構成について図３を用い説明する。図３は前面枠２０より下側球受け皿４０（下皿取付板４２）を取り外し、併せて下皿取付板４２から下皿外装カバー４１も取り外した状態である。図より理解されるように、下皿貯留部４３は下皿落下孔４５を備えて、差込突片４７ｂ，４７ｄを下皿取付板の差込孔４７ａ，４７ｃに差し込んでねじＢにより固定保持され、同時に差込溝４８ａに差込片部４８ｂが差し込まれる。下皿落下カバー部材５０は差込突片５９を差込孔５８（図５参照）に差し込んで下皿貯留部４３の下方にねじＢにより固定保持され、同時に下皿落下カバー部材の嵌合部５６は下皿取付板の嵌合溝５７に嵌め合わされる。
【００２９】
下皿落下カバー部材５０の内部には、閉塞部材６０、ばね６５、スイッチ７０が収容されている。閉塞部材６０はガイド板５５方向（図５の矢印Ｄ方向を参照）に摺動可能とされ、カバー部材落下孔５１（遊技媒体落下孔に相当）を閉塞して遊技球（遊技媒体）が下側球受け皿４０（下皿貯留部４３）から落下することを防ぐ。カバー部材落下孔５１の孔直径は下皿落下孔４５の孔直径と同じ孔直径もしくはカバー部材落下孔側が大きく形成されている。下側球受け皿４０において、遊技機１より遊技の賞として払い出される遊技球（遊技媒体）は上側球受け皿３２から開口部４９を通じて下皿貯留部４３内に導かれて貯留される。そして、カバー部材落下孔５１を閉塞部６２により閉塞する閉塞部材６０が移動すると、カバー部材落下孔５１は開放され、下皿落下孔４５と、その直下に位置するカバー部材落下孔５１とはつながり、遊技球は当該遊技機１の外に落下することとなる（図５参照）。
【００３０】
図４より明らかなように、磁力発生部材である電磁石８０は、遊技球が少なくとも下側球受け皿４０（下皿貯留部４３）からカバー部材落下孔５１を介して遊技機外に落下する経路において、当該カバー部材落下孔５１の周縁部近傍５１ｎに備えられている。ちなみに、前記の磁力発生部材は図４等の電磁石の他に、後述の適宜磁力を有する永久磁石も用いられる。
【００３１】
加えて、図示するように、電磁石８０では、中心軸の周りに巻導線８８が巻き付けられ、当該電磁石の磁極はカバー部材落下孔５１側ならびに操作部６１側に向けられている。さらに、電磁石８０のカバー部材落下孔５１側の磁極には、この電磁石８０とは別に、カバー部材落下孔とほぼ直径を同一とする略半円弧状の鉄材８７が近接して設けられている。実施例では鉄材８７は電磁石８０に当接されているため、鉄材８７も磁界発生部材となる。従って、カバー部材落下孔を落下する遊技球（遊技媒体）は鉄材８７に磁着されやすくなる。
【００３２】
図５を用い閉塞部材の動作について、下皿落下カバー部材を取り出して説明する。図５（ａ）に示すとおり、下皿落下カバー部材５０内に収容されている閉塞部材６０は、常時、ばね６５の付勢を受けて該部材５０の略中央位置に押し当てられている。そのため、閉塞部材６０の閉塞部６２はカバー部材落下孔５１を覆い隠し、前記の下皿落下孔４５から落下する遊技球は閉塞部６２により止められる。このとき、スイッチ７０（スイッチ手段に相当）では、該スイッチの板ばね部７１と閉塞部材６０の接触部６３が離れ、板ばね部７１はスイッチ本体７２から浮いているため、スイッチ７０は非通電状態である。
【００３３】
次に図５（ｂ）に示すとおり、遊技者が下側球受け皿４０（下皿貯留部４３）に貯留された遊技球を図示しない箱体に移そうとするとき、操作部６１は図示の左方向にずらされ、閉塞部材６０はガイド板５５に沿って移動する（スライド移動する）。こうして、カバー部材落下孔５１を閉塞する閉塞部６２が矢印Ｄ方向にずれることにより、カバー部材落下孔５１は開放され、遊技球は落下することとなる。同時に、接触部６３が板ばね部７１に当接し、さらに板ばね部７１がスイッチ本体７２に接触するため、スイッチ７０は通電状態となる。
【００３４】
この後、遊技者が操作部６１から手を離すと、ばね６５の付勢力により閉塞部材６０は押し戻されて、図５（ａ）の元の位置に復帰し、再びスイッチ７０は非通電状態となる。図中、符号５６は嵌合部、５８は差込孔である。
【００３５】
実施例においては、検出手段として前記のスイッチ７０が備えられ、カバー部材落下孔５１（いわゆる遊技媒体落下孔）を閉塞する閉塞部材６０が移動し、このカバー部材落下孔５１の開放をＯＮ状態（通電状態）として検出する。なお、スイッチ手段としては、図示のように板ばね部を有するリミットスイッチの他にもタクトスイッチ等適宜のスイッチ手段が用いられる。また、スイッチ手段の取り付け位置を図示する実施例とは逆に、閉塞部材の右側とすることにより、カバー部材落下孔の閉塞を検出する構成とすることもできる。
【００３６】
続いて、電磁石の励磁とスイッチ手段との関係について、図６に示す制御回路１００の概略図を用い説明する。この制御回路１００はスイッチ７０（スイッチ手段）、電磁石８０、及び電源供給部９０を含み、導線１０１によりそれぞれは接続されている。
【００３７】
通常、ＡＣ１００Ｖ（５０／６０Ｈｚ）の交流電源は、遊技店もしくは遊技島等によりＡＣ２４Ｖの交流電源に降圧される。実施例の遊技機１において、ＡＣ２４Ｖの交流電源は、前出の受電基板２０６に供給される。そして、電源基板２１４において交流から適宜電圧の直流電源（ＤＣ５Ｖ、ＤＣ１２Ｖ等）に変換され、前記各種の制御基板に供給される。そこで、電源供給部９０にも電源基板２１４において変換された所定電圧の直流電源が供給されている。
【００３８】
併せて、図５に示す構造及び制御回路１００から理解されるように、閉塞部材６０の移動に伴いカバー部材落下孔５１（遊技媒体落下孔）が開放されるときには、前記のスイッチ７０はＯＮ状態（すなわちカバー部材落下孔５１の開放の検出）となって電磁石８０に通電が行われ、当該電磁石は励磁される。この逆に、閉塞部材６０によりカバー部材落下孔５１（遊技媒体落下孔）が閉塞されるときには、前記のスイッチ７０はＯＦＦ状態（すなわちカバー部材落下孔５１の開放の非検出）となって電磁石８０への通電が停止され、当該電磁石は消磁される。
【００３９】
また、前記のスイッチ（スイッチ手段）を用いながらも、図６の回路構成と異なる回路を構築して、当該スイッチがＯＦＦ状態にて電磁石を励磁させ、同スイッチがＯＮ状態にて電磁石を消磁させることができる。例えば、スイッチ手段の取り付け位置を図５に示す実施例とは逆に、閉塞部材の右側とする構成である。同構成によると、通常時（カバー部材落下孔が閉塞時）、スイッチはＯＮ状態である。
【００４０】
検出手段は、実施例のスイッチ手段に限られるものではなく、例えば、フォトセンサ等の利用も可能である。この場合、検出手段であるフォトセンサが、閉塞部材の移動に伴いカバー部材落下孔（遊技媒体落下孔）が開放されるときの検出光量の変化を検知して、フォトセンサから前出の主制御基板２２１に検知信号が送信される。そして、主制御基板２２１において、フォトセンサからの検知信号が判断され、カバー部材落下孔開放の場合に電磁石が励磁される。逆に、閉塞部材によりカバー部材落下孔が閉塞されているときの検出光量を検知して、フォトセンサから前出の主制御基板２２１に検知信号が送信される。そして、主制御基板２２１において、フォトセンサからの検知信号が判断され、カバー部材落下孔閉塞の場合に電磁石が消磁される。
【００４１】
図７及び図８を用い電磁石の作用を説明する。図７（ａ）は操作部６１の操作中の状態を示す。この場合、図７（ａ）のＩ−Ｉ断面を表す図７（ｂ）から理解されるように、閉塞部材６０の閉塞部６２によるカバー部材落下孔５１（遊技媒体落下孔）の閉塞が解かれ（開放し）、下皿貯留部４３に貯留されている遊技球は下皿落下孔４５、カバー部材落下孔５１を経由して箱体４００への落下することとなる。しかしながら、既に詳述してきたことからも明らかなとおり、電磁石８０は励磁しているため、落下する遊技球は、電磁石８０（鉄材８７）に引き寄せられて磁着し、さらに遊技球同士も互いにつながる（図７（ｂ）参照）。従って、遊技球の落下速度は遅くなり、落下時に、遊技球と箱体、あるいは遊技球と箱体に蓄積された遊技球が衝突し合って生じる衝突音は抑制され、遊技者の不快感の軽減が可能となる。
【００４２】
図８（ａ）は操作部６１の操作を終了した状態を示す。この場合、図８（ａ）のＩＩ−ＩＩ断面を表す図８（ｂ）から理解されるように、カバー部材落下孔５１（遊技媒体落下孔）は閉塞部材６０の閉塞部６２により塞がれ、下皿貯留部４３に貯留されている遊技球は下皿落下孔４５、カバー部材落下孔５１を経由して箱体４００への落下が抑制される。また、電磁石８０は消磁しているため、遊技球Ｐは電磁石の励磁状態から消磁状態に変化したときに箱体４００に落下する。ただし、磁力の強弱により、励磁状態であっても遊技球は落下する場合はある。
【００４３】
とりわけ、図４、図７及び図８のとおり、電磁石８０の配置は、カバー部材落下孔５１の周縁部近傍の一部とすることが望ましい。仮に、カバー部材落下孔の周縁部の全体を取り囲むように設置する場合、それぞれの電磁石の磁力により遊技球が引き寄せられて、カバー部材落下孔に遊技球の塊ができて塞いでしまい、遊技球はほとんど箱体に落下しなくなるおそれがある。
【００４４】
また、図９に示す第２実施例のように、電磁石を下側球受け皿４０（遊技媒体貯留部）の裏面４０Ｋに備え、カバー部材落下孔５１の周縁部近傍５１ｎの内周側５１ｉよりも外側５１ｏの磁力を強めることにより、上記の問題点は解決される。具体的に述べると、電磁石８０Ａは、図示のとおり複数の電磁石８０ａ，８０ｂ，８０ｃの組み合わせからなる。カバー部材落下孔５１の周縁部近傍５１ｎの内周側５１ｉから外側５１ｏに向けて電磁石８０ａ，８０ｂ，８０ｃと順に並べられると共に、当該周縁部近傍の内周側５１ｉから外側５１ｏの順に、電磁石８０ａ，８０ｂ，８０ｃの磁力が強められている。例えば、８０ａ，８０ｂ，８０ｃの順に供給電流を多くする他、コイルの巻き数を多くする等の回路構成により、磁力は調整される。また、電磁石８０ａ，８０ｂ，８０ｃの順に電磁石自体の長さを長くすることにより、遊技球の磁着及び移動の範囲を調整することができる。図中、前出の図４と共通箇所は同一符号とし、その説明を省略する。なお、図示の電磁石に代えて、磁力の異なる永久磁石をカバー部材落下孔の周縁部近傍に付設することも可能である。
【００４５】
図１０及び図１１を用い電磁石８０Ａ（電磁石８０ａ，８０ｂ，８０ｃ）の作用を説明する。図１０（ａ）は操作部６１の操作中の状態を示す。この場合、図１０（ａ）のＩＩＩ−ＩＩＩ断面を表す図１０（ｂ）から理解されるように、閉塞部材６０の閉塞部６２によるカバー部材落下孔５１（遊技媒体落下孔）の閉塞が解かれ（開放し）、下皿貯留部４３に貯留されている遊技球は下皿落下孔４５、カバー部材落下孔５１を経由して箱体４００への落下することとなる。しかしながら、電磁石８０Ａ（電磁石８０ａ，８０ｂ，８０ｃ）は励磁しているため、落下する遊技球は、当該電磁石８０ａ，８０ｂ，８０ｃに引き寄せられて磁着したり、磁力に引き寄せられて落下速度が遅くなる（図１０（ｂ）参照）。こうして、遊技球の落下速度は緩和され、落下時に、遊技球と箱体、もしくは遊技球と箱体に蓄積された遊技球が衝突し合って生じる衝突音は抑制され、遊技者の不快感の軽減が可能となる。
【００４６】
図１１（ａ）は操作部６１の操作を終了した状態を示す。この場合、図１１（ａ）のＩＶ−ＩＶ断面を表す図１１（ｂ）から理解されるように、カバー部材落下孔５１（遊技媒体落下孔）は閉塞部材６０の閉塞部６２により塞がれ、下皿貯留部４３に貯留されている遊技球は下皿落下孔４５、カバー部材落下孔５１を経由して箱体４００への落下が抑制される。また、電磁石８０ａ，８０ｂ，８０ｃは消磁しているため、遊技球Ｐは電磁石の励磁状態から消磁状態に変化したとき、電磁石に磁着していた遊技球は箱体４００に落下する。
【００４７】
特に、図示の電磁石８０Ａ（電磁石８０ａ，８０ｂ，８０ｃ）によると、当該周縁部近傍の内周側よりも外側の磁力が強力である。このため、下皿落下孔４５、カバー部材落下孔５１を経由して落下する遊技球Ｐは、カバー部材落下孔の周縁部近傍の外側（５１ｏ側）に引き寄せられるようにして磁着する。もしくは落下する遊技球が外側に引き寄せられる。この結果、遊技球によりカバー部材落下孔は塞がれなくなる。併せて、遊技球の落下速度は遅くなり、落下時に、遊技球と箱体、あるいは遊技球と箱体に蓄積された遊技球が衝突し合って生じる衝突音は抑制され、遊技者の不快感の軽減が可能となる。
【００４８】
さらに、図１２に示す第３実施例のように、磁界発生部材である永久磁石８０Ｂは、傾斜固定部５３に取り付けられ、同時に、永久磁石８０Ｂは、カバー部材落下孔５１の周縁部近傍５１ｎの内周側５１ｉから外側５１ｏに向けて、この外側を内周側よりも下方に傾斜して設けられている。
【００４９】
図示から明らかなとおり、下皿落下孔４５及びカバー部材落下孔５１を経由して落下する遊技球Ｐは、傾斜して取り付けられている永久磁石８０Ｂに磁着し、磁着面８３に引き寄せられて落下する。従って、カバー部材落下孔５１周辺に遊技球の塊は形成されにくくなり、効率よく、遊技球をカバー部材落下孔から離れた位置に落下させることが可能となる。同時に、遊技球の落下速度は、磁着面８３への磁着に伴い遅くなるため、落下時に衝突し合って生じる衝突音や、箱体との衝突音も抑制され、遊技者の不快感の軽減が可能となる。ちなみに、傾斜固定部に取り付けられる永久磁石の数、形状、磁力強度等は、遊技球を磁着面に引き寄せて落下させる機能を発揮する限りにおいては適宜である。むろん、電磁石の転用も可能である。
【００５０】
続いて、第４実施例の構成を図１３ないし図１５を用い説明する。当該実施例にあっては、磁界発生部材である永久磁石８０Ｃの磁力を減衰させる遮蔽部材６７が、閉塞部材６０Ｓの操作部６１の下方に略Ｕ字形状となるように別途備えられている。この遮蔽部材６７は磁力を遮蔽する性状の鉄合板からなる。遮蔽部材６７の動作態様は、既に図５において詳述した閉塞部材６０（操作部６１）と同様に、前記下皿落下カバー部材５０に沿って、左右に移動する。
【００５１】
図１４（ａ）は操作部６１の操作中の状態を示す。この場合、図５における説明からも明らかなとおり、閉塞部材６０Ｓが移動してカバー部材落下孔５１が開放したときに磁界発生部材である永久磁石８０Ｃは、カバー部材落下孔５１に対して露出する。すると、図１４（ａ）のＶ−Ｖ断面を表す図１４（ｂ）から理解されるように、閉塞部材６０Ｓの閉塞部６２によるカバー部材落下孔５１（遊技媒体落下孔）の閉塞が解かれ（開放し）、下皿貯留部４３に貯留されている遊技球は下皿落下孔４５、カバー部材落下孔５１を経由して箱体４００への落下することとなる。そこで、落下する遊技球は、永久磁石８０Ｃに引き寄せられる（図１０（ｂ）参照）。
【００５２】
図１５（ａ）は操作部６１の操作を終了した状態を示す。この場合、カバー部材落下孔５１は閉塞部材６０Ｓの移動に伴って閉塞される。同時に遮蔽部材６７は永久磁石８０Ｃとこれに磁着する遊技球の間に滑り込みながらスライド移動する。このようにして、永久磁石８０Ｃは遮蔽部材６７により被覆される。図１５（ａ）のＶＩ−ＶＩ断面を表す図１５（ｂ）から理解されるように、カバー部材落下孔５１（遊技媒体落下孔）は閉塞部材６０の閉塞部６２により塞がれ、下皿貯留部４３に貯留されている遊技球は下皿落下孔４５、カバー部材落下孔５１を経由して箱体４００への落下が抑制される。図示のように、永久磁石８０Ｃが遮蔽部材６７により被覆されているため、この永久磁石８０Ｃから遊技球に及ぼす磁力は弱まり、磁着していた遊技球は箱体４００に落下する。
【００５３】
特に、第３，第４実施例のように永久磁石を磁界発生部材として用いる場合、磁力の制御（励磁及び消磁）を電磁石ほど容易に行うことはできない。そのため、閉塞部材の開放もしくは閉塞状態のいずれであってもカバー部材落下孔付近に遊技球が永久磁石に磁着したままとなり、いわゆる球切れの悪さが指摘される。しかし、遮蔽部材を具備するため、閉塞部材の開放もしくは閉塞に併せて磁力の調整が可能となって球切れの問題点は解消される。また、前述の検出手段、スイッチ手段、制御回路等も必要ないため、比較的簡便な構造とすることができる。当該構成においても、遊技球の落下速度は遅くなり、落下時に衝突し合って生じる衝突音を抑制し、遊技者の不快感の軽減が可能となる。むろん、遮蔽部材の位置は必ずしも閉塞部材の操作部に限られることはなく、閉塞部材の移動に連動して磁力発生部材の磁力を遮蔽できる限り、自由である。
【００５４】
これまでに詳述した図中において、共通する符号は、同一構造、同一部材を示すため、その説明を省略した。
【００５５】
以上に述べた実施例にあっては、パチンコ遊技機を用いて図示し説明してきたが、むろん、アレンジボール遊技機等の各種弾球遊技機においても適用可能である。また、本発明の構成は、遊技媒体を磁界に入ると磁性を帯びるコインとするスロットマシーン等にも用いることができる。
【図面の簡単な説明】
【００５６】
【図１】この発明の一実施例に係る遊技機全体の正面図である。
【図２】同遊技機の背面図である。
【図３】下側球受け皿の主要部分解斜視図である。
【図４】第１実施例の磁界発生部材を備えた下側球受け皿の底面図である。
【図５】下皿落下カバー部材及び閉塞部材の上面図である。
【図６】同遊技機の下皿を中心に設けられた制御回路の概略図である。
【図７】カバー部材落下孔が開放時の部分拡大図である。
【図８】カバー部材落下孔が閉塞時の部分拡大図である。
【図９】第２実施例の磁界発生部材を備えた下側球受け皿の底面図である。
【図１０】第２実施例におけるカバー部材落下孔が開放時の部分拡大図である。
【図１１】第２実施例におけるカバー部材落下孔が閉塞時の部分拡大図である。
【図１２】第３実施例におけるカバー部材落下孔が開放時の部分拡大図である。
【図１３】遮蔽部材を備えた閉塞部材の斜視図である。
【図１４】第４実施例の磁界発生部材を備えたカバー部材落下孔が開放時の部分拡大図である。
【図１５】第４実施例の磁界発生部材を備えたカバー部材落下孔が閉塞時の部分拡大図である。
【符号の説明】
【００５７】
１  遊技機
３２  上側球受け皿
４０  下側球受け皿（遊技媒体貯留部）
４３  下皿貯留部
４５  下皿落下孔
５０  下皿落下カバー部材
５１  カバー部材落下孔（遊技媒体落下孔）
６０，６０Ｓ  閉塞部材
６１  操作部
６２  閉塞部
６５  ばね
６７  遮蔽部材
７０  スイッチ（検出手段及びスイッチ手段）
８０，８０Ａ，８０ａ，８０ｂ，８０ｃ  電磁石（磁界発生部材）
８０Ｂ，８０Ｃ  永久磁石（磁界発生部材）
８７  鉄材
９０  電源供給部
１００  制御回路
２１４  電源基板
Ｐ  遊技球
【図１】
2006122178.tif 000003
【図２】
2006122178.tif 000004
【図３】
2006122178.tif 000005
【図４】
2006122178.tif 000006
【図５】
2006122178.tif 000007
【図６】
2006122178.tif 000008
【図７】
2006122178.tif 000009
【図８】
2006122178.tif 000010
【図９】
2006122178.tif 000011
【図１０】
2006122178.tif 000012
【図１１】
2006122178.tif 000013
【図１２】
2006122178.tif 000014
【図１３】
2006122178.tif 000015
【図１４】
2006122178.tif 000016
【図１５】
2006122178.tif 000017